(57)【要約】  本発明は、柱間コネクタ（１）により相互接続された２つのスイッチキャビネットラック（100）から構成される配置構造であって、前記スイッチキャビネット（100）はそれぞれ、第１共通平面内に位置して前記スイッチキャビネットラック（100）をお互いに隣接させているプロファイル腹板（101）を有し、前記スイッチキャビネットラック（100）はそれぞれ、第２共通平面内に位置して相互接続された前記スイッチキャビネットラック（100）のそれぞれの内部スペースに面している取付面（102）を有し、前記第１共通平面および前記第２共通平面は、互いに平行に延びていて、互いに離れて間隔を空けられており、前記柱間コネクタ（１）が完全に前記第１共通平面と前記第２共通平面との間に配置されることを特徴とする配置構造に関する。【選択図】図１
2021506211.tif 000002
【特許請求の範囲】
【請求項１】
柱間コネクタ（１）により相互接続された２つのスイッチキャビネットラック（100）から構成される配置構造であって、前記スイッチキャビネット（100）はそれぞれ、第１共通平面内に位置して前記スイッチキャビネットラック（100）をお互いに隣接させているプロファイル腹板（101）を有し、前記スイッチキャビネットラック（100）はそれぞれ、第２共通平面内に位置して相互接続された前記スイッチキャビネットラック（100）のそれぞれの内部スペースに面している取付面（102）を有し、前記第１共通平面および前記第２共通平面は、互いに平行に延びていて、互いに離れて間隔を空けられており、前記柱間コネクタ（１）が完全に前記第１共通平面と前記第２共通平面との間に配置されることを特徴とする配置構造。
【請求項２】
前記柱間コネクタ（１）が反対側にそれぞれ位置する接触面（３）を備える本体（２）を有し、前記柱間コネクタ（１）が前記接触面（３）で追加プロファイル面（103）にそれぞれ掛かり、前記本体（２）が、前記第１共通平面および前記第２共通平面との間に、かつ前記第１共通平面および前記第２共通平面に垂直に延びる、請求項１に記載の配置構造。
【請求項３】
少なくとも１つのねじ通路（４）が、前記接触面（３）の間に、かつ前記接触面（３）を通って、前記柱間コネクタ（１）の全長に亘って延びる、請求項２に記載の配置構造。
【請求項４】
センタリングピン（５）が、少なくとも１つの前記接触面（３）から、前記接触面（３）に垂直に延びる、請求項２または３に記載の配置構造。
【請求項５】
少なくとも１つのラッチング突起（６）が、少なくとも１つの前記接触面（３）から、前記追加プロファイル面（103）のうちの１つ内にある締結孔（104）を通って延び、前記柱間コネクタ（１）を前記追加プロファイル面（103）に留め金を掛けて固定する、請求項２〜４のいずれか１項に記載の配置構造。
【請求項６】
前記ラッチング突起（６）は、前記接触面（３）の１つから、前記接触面（３）に垂直に延び、前記ラッチング突起（６）のフック（８）の反対側に配置される摺動面（７）を有し、前記摺動面（７）は、前記ラッチング突起（６）が通って延びる前記締結孔（104）の端に対してぴったり合うように位置する、請求項５に記載の配置構造。
【請求項７】
少なくとも１つのねじ通路（４）が、前記接触面（３）の間で、かつ前記接触面（３）を通って、前記柱間コネクタ（１）の長さ全体に亘って延び、前記少なくとも１つのねじ通路（４）は、少なくとも１つの前記ラッチング突起（６）と一直線になっていて、前記ラッチング突起（６）を通って続いている、請求項５または６に記載の配置構造。
【請求項８】
ねじボルト（200）が、前記追加プロファイル面（103）と平行に間隔を空けて配置される外側プロファイル面（105）から、前記スイッチキャビネットラック（100）の閉プロファイル部分（106）を通って通過させられる、請求項１〜７のいずれか１項に記載の配置構造。
【請求項９】
前記ねじボルト（200）が、前記外側プロファイル面（105）を介して前記閉プロファイル部分（106）に入り、前記追加プロファイル面（103）を介して前記閉プロファイル部分（106）から出て、前記柱間コネクタ１の反対側にそれぞれ位置する２つの前記接触面（３）のうちの１つを介して前記柱間コネクタ１に入る、請求項８に記載の配置構造。
【請求項１０】
前記ねじボルト（200）が、少なくともねじボルト頭部からみて離れる方にある端部に雄ねじを有し、雌ねじを有する少なくとも１つのねじ通路（４）内に雄ねじによりねじ込まれる、請求項９に記載の配置構造。
【請求項１１】
前記ねじボルト（200）は、ねじボルト頭部で前記外側プロファイル面（105）に重みが掛かる、請求項８〜１０のいずれか１項に記載の配置構造。
【請求項１２】
前記柱間コネクタ（１）が、前記取付面（102）の前記第２共通平面内に位置して等距離で間隔を置かれた締結孔（９）の孔の列を備える取付平面（Ｅ）を有する、請求項１〜１１のいずれか１項に記載の配置構造。
【請求項１３】
前記締結孔（９）が、お互いに対して、前記スイッチキャビネットラック（100）のシステム穿孔の格子寸法に対応する距離を有する、請求項１２に記載の配置構造。
【請求項１４】
前記柱間コネクタ（１）の前記締結孔（９）が、直線状の孔の列に沿って配置されて、前記システム穿孔の前記締結孔（104）と一致して形成され、前記柱間コネクタ（１）の前記締結孔（９）、および、前記システム穿孔の少なくとも１つの一致した前記締結孔（104）が、直線に沿って配置され、前記柱間コネクタ（１）の前記締結孔（９）のそれぞれと、前記システム穿孔の少なくとも１つの前記締結孔（104）との間の距離が、格子寸法の整数倍である、請求項１３に記載の配置構造。
【請求項１５】
前記プロファイル腹板（101）が、シーリング間隙（107）の形成の下で互いに隣接し、前記プロファイル腹板（101）の自由端に向かって広くなる同一のシーリング腹板として形成され、プッシュオン式シール（108）が前記シーリング腹板の１つに押し付けられ、前記プッシュオン式シールが前記シーリング間隙を流体密封に密封する、請求項１〜１４のいずれか１項に記載の配置構造。
【請求項１６】
前記柱間コネクタ（１）の前記接触面（３）が、前記プロファイル腹板（101）の長さの合計よりもわずかに大きい間隔を有し、前記プッシュオン式シール（108）は、前記追加プロファイル面（103）が前記柱間コネクタ（１）の反対側にそれぞれ位置する前記接触面（３）に隣接する場合に、規定された圧縮を有する、請求項１５に記載の配置構造。
【発明の詳細な説明】
【技術分野】
【０００１】
本発明は、柱間（湾内）コネクタにより相互接続された２つのスイッチキャビネットラックから構成される配置構造であって、スイッチキャビネットはそれぞれ、第１共通平面内に位置し、それによりスイッチキャビネットラックをお互いに隣接接触させるプロファイル腹板（ウェブ）を有する、配置構造に関する。スイッチキャビネットラックはそれぞれ、第２共通平面内に位置し、相互接続された各スイッチキャビネットラックの内部スペースに面している取付面を有し、第１および第２平面は、互いに平行に延びていて、互いに離れて間隔を空けられている。このような配置構造は、ＤＥ  １０  ２０１４  １０１  ４０１  Ａ１から周知である。
【背景技術】
【０００２】
先行技術から周知の配置構造は、柱間コネクタが湾曲スイッチキャビネットラックのシール領域の外側に配置され、それゆえに配置構造の外側からアクセス可能であったために、妨害行為から守られない、という不利益を有する。さらに、柱間コネクタは、スイッチキャビネットラックの内側から取り付けられるが、その後、スイッチキャビネット配置構造の設置空きスペース内に延び、スイッチキャビネットラックの内側の貴重な設置スペースを部分的に使用できない状態にすることが知られている。
【０００３】
したがって、一方で妨害行為に耐え、他方でスペースを節約するような方法で、上述したような配置構造のさらなる開発を行うことが本発明の目的である。
【発明の概要】
【０００４】
当該目的は請求項１の特徴を有する配置構造により達成される。各従属請求項は本発明の有利な実施形態に関する。
【０００５】
それに応じて、柱間コネクタが完全に第１平面と第２平面との間に配置されるということになる。これにより、柱間コネクタを、両スイッチキャビネットラックの内部に面していて、スイッチキャビネットラックの取付面の第２共通平面内に位置するスイッチキャビネットラックの最も後ろの取付面の後ろに配置されたままとすることができるので、柱間コネクタはラック内部の設置スペースを制限することがない。
【０００６】
柱間コネクタは、追加プロファイル面にそれぞれ掛かり、それぞれ反対側に位置する接触面を備える本体を有してもよく、当該本体は、第１平面と第２平面との間に、それらに垂直に延びる。特に、追加プロファイル面が取付面をプロファイル腹板に接続するようになる。取付面は、追加プロファイル面から９０°の折曲縁で曲げられることができる。さらに、プロファイル腹板は、別のプロファイル面から９０°の折曲縁で曲げられることができる。特に、取付面およびプロファイル腹板は、追加プロファイル面から反対方向に曲げられることができる。プロファイル腹板および取付面は、プロファイル腹板および取付面に垂直に延びる追加プロファイル面の寸法で、互いに間隔を空けられることができる。プロファイルの他側は、一定の間隔を空けた締結孔から構成されるシステム穿孔を有することができる。特に、スイッチキャビネットラックは、周方向に同一の形状で作製されることができる。適切なスイッチキャビネットラックは、ＤＥ  １０  ２０１５  １２１  １９２  Ａ１から周知である。
【０００７】
少なくとも１つのねじ通路が、接触面の間に、および、接触面を通って、柱間コネクタの全長に亘って延びることができる。特に、ねじ溝が、接触面の間に全長に亘って連続して、すなわち途切れなく形成され、ねじボルトを精密に誘導することができるようになる。
【０００８】
柱間コネクタはまた、少なくとも１つの接触面からそれに垂直に延びる少なくとも１つのセンタリングピンを有してもよい。センタリングピンは、特にその外周上に、スイッチキャビネットラックの追加プロファイル面を通って開口部または締結孔の輪郭に対応する輪郭を有することができる。特に、センタリングピンは、開口部または締結孔にぴったり合うように収容されることができる。センタリングピンは、追加プロファイル面内の追加開口部に対して柱間コネクタのねじ通路の定義されたアラインメントが達成されるように、少なくとも１つのねじ通路に関連して配置されることができ、ねじ通路がねじボルトの挿入のために開口部に一直線になる。
【０００９】
少なくとも１つのラッチング突起が、少なくとも１つの接触面から、追加プロファイル面の１つ内の締結孔を通って延び、柱間コネクタを追加プロファイル面に固定し特に掛け金を掛けることができる。締結孔は、追加プロファイル面のシステム穿孔の一部であり得る。システム穿孔は、固定格子寸法（グリッド  ディメンション）の直線に沿って延びる締結孔を有することができる。いくつかのラッチング突起は、少なくとも１つの接触面から延び、お互いから格子寸法の整数倍に対応する距離を有してもよい。適切なシステム穿孔は、ＤＥ  １０  ２０１５  １２１  １９２  Ａ１に記載されている。
【００１０】
ラッチング突起は、少なくとも１つの接触面から当該接触面に垂直に延びて、ラッチング突起のフックの反対側に配置される摺動面を有してもよく、摺動面は、ラッチング突起が通って延びる締結孔の端に対してぴったり合うように位置する。
【００１１】
少なくとも１つのねじ通路は、接触面の間で、かつ、接触面を通って、柱間コネクタの長さ全体に亘って延びてよく、少なくとも１つのねじ通路は、少なくとも１つのラッチング突起と一直線になっていて、ラッチング突起を通って続いている。
【００１２】
ねじボルトは、スイッチキャビネットラックの外側プロファイル面からスイッチキャビネットラックの閉プロファイル部分を通って通過することができ、外側プロファイル面は、追加プロファイル面と平行に間隔を空けて配置される。この目的のために、スイッチキャビネットラックは、ＤＥ  １０  ２０１５  １２１  １９２  Ａ１から周知の形状をさらに有することができる。
【００１３】
ねじボルトは、外側プロファイル面を介して閉プロファイル部分に入り、追加プロファイル面を介して閉プロファイル部分から出て、柱間コネクタの反対側にそれぞれ位置する２つの接触面の１つを介して柱間コネクタに入ることができる。
【００１４】
この場合、ねじボルトは、少なくともねじボルト頭部からみて離れる方にある端部に雄ねじを有することができ、雄ねじにより少なくとも１つのねじ通路内にねじ込まれ、ねじ通路は雌ねじを有する。
【００１５】
ねじボルトは、ねじボルト頭部で外側プロファイル面に重みが掛かることができる。
【００１６】
柱間コネクタは、取付面の第２共通平面内に位置し、または取付面の第２共通平面から延びる、等距離で間隔を置かれた締結孔の孔の列を備える取付平面を有してもよい。
【００１７】
その場合、締結孔は、スイッチキャビネットラックのシステム穿孔の格子寸法に対応する互いに対する距離を有することができる。
【００１８】
柱間コネクタの締結孔は、直線状の孔の列に沿って配置されても、システム穿孔の締結孔と全く一致して形成されてもよく、柱間コネクタの締結孔、および、システム穿孔の少なくとも１つの一致した締結孔は、直線に沿って配置され、柱間コネクタの各締結孔と、システム穿孔の少なくとも１つの締結孔との間の距離は、格子寸法の整数倍である。
【００１９】
プロファイル腹板は、シーリング間隙の形成の下で互いに隣接し、それらの自由端に向かって広くなる同一のシーリング腹板（ウェブ）として形成されることができ、プッシュオン式シールがシーリング腹板の１つに押し付けられ、プッシュオン式シールはシーリング間隙を流体密封に密封する。
【００２０】
柱間コネクタの接触面は、プロファイル腹板の長さの合計よりもわずかに大きい間隔を有することができ、プッシュオン式シールには、追加プロファイル面が柱間コネクタの反対側にそれぞれ位置する接触面に隣接する場合に、規定された圧縮がある。
【００２１】
ラックを互いに結びつけるために、センタリングピンは、互いに接続する２つのラックのうちの第１ラック上、例えばラックの第１鉛直プロファイル上に柱間コネクタを置くために使用されることができ、外側プロファイル面を介して挿入され、軸ねじとして形成され、ねじ山をつけられた２つのボルトが、柱間コネクタのねじ通路内にねじ込まれることができる。このようにして、柱間コネクタは、２つのラックのうちの第１ラックに固定される。
【００２２】
そして、２つのラックのうちの第２ラックは、柱間コネクタの２つのラッチング突起を各締結孔に押し込むことにより、第１ラックとぴったりと合わせられる。
【００２３】
ラッチング突起がねじ通路を伸ばす場合、それらは追加のねじボルトの挿入を補助する機能を有し、追加のねじボルトは第２ラックの外側プロファイル面を介して挿入される。ラッチング突起は、この目的のための寸法で閉プロファイル部分内に延びることができる。この寸法は、第２ラックの柱間コネクタへの締結を簡単に行えるように、ねじボルトの十分な誘導案内が確保されるような方法で、外側プロファイル面と追加プロファイル面との間の距離にしたがって調整されることができる。
【００２４】
センタリングピンは、センタリングピンが延び始める接触面に垂直な長さを有することができ、その寸法は、柱間コネクタも据え付けられるような寸法であり、すなわち、ラックが柱間場所でお互いに近い場合、そこにあるもう一方の柱間コネクタは、それらのねじボルトで事前に取り付けられるが、ボルトはまだ堅く締められていないのでシーリング要素はまだ圧縮されておらず、したがって、お互いに向かい合う追加プロファイル面の間に柱間コネクタを挿入するための十分なスペースがある。
【００２５】
これは、ラッチング突起が１次元だけで締結孔にぴったり合うように収容されることにより、さらに容易になり得る。締結孔に平行な寸法で、ラッチング突起は締結孔よりも小さくてもよく、ラッチング突起は、締結孔の平面に垂直な面内の回転運動により、締結孔に回し入れられることができる。
【００２６】
そのボルト頭部に隣接して、締結ボルトのシャフトは、締結ボルトがラックに挿入される外側プロファイル面内の締結孔の反対側の間の距離に対応する直径を有してもよい。この広がったシャフト部は、追加プロファイル面には延びないが、外側プロファイル面上の長方形の孔とすることができる締結孔内の締結ボルトの位置決めを容易にする補助としてのみ機能する。
【００２７】
発明のさらなる詳細について、以下の図面とともに説明する。
【図面の簡単な説明】
【００２８】
【図１】本発明の実施形態に係る本発明の配置構造の内側の図を示す透視図である。
【図２】図１に係る柱間コネクタの詳細図である。
【発明を実施するための形態】
【００２９】
図１および図２において、本発明に係る配置構造の実施形態が示される。この場合、２つのスイッチキャビネットラック100が、スイッチキャビネットラック100の内側に面する側面で、すなわち、スイッチキャビネットラック100の設置スペースの方向に向かう側面で、柱間コネクタ１により相互接続される。スイッチキャビネットラック100は、向かい合うプロファイル腹板101を介してお互いに隣接し、当該プロファイル腹板101は第１共通平面に配置される。プロファイル腹板101は、それらの間に配置されるシーリング要素８を備えるシーリング腹板として形成されるので、第１共通平面は配置構造のシーリング平面を形成する。その結果、柱間コネクタ１は、外部環境の影響、および、シーリング平面を介するアクセスから保護される。
【００３０】
柱間コネクタ１は、特に、上述のシーリング平面と、スイッチキャビネットラックの取付面102の第２共通平面との間に、スペースを取らない方法で配置される。第２共通平面は、取付面102により定義されるものであり、スイッチキャビネットラック100のまさに最後尾の取付平面である。柱間コネクタ１はそれぞれ、第２共通平面により形成される取付平面の完全に後ろに設置され、または、その前面が完全に第２共通平面内に設置されるので、柱間コネクタ１は、スペースを取らない方法で配置され、特に、柱間コネクタ１の上に置かれる構成要素（部品）が柱間コネクタ１にぶつかることなく、重ね合わされることもできる。
【００３１】
スイッチキャビネットラック100は、ＤＥ  １０  ２０１５  １２１  １９２  Ａ１から周知のスイッチキャビネットラックにしたがって形成される。相互接続されたスイッチキャビネットラック100の各々は追加プロファイル面103を有し、当該追加プロファイル面103は、９０°の折曲縁を介して各取付面102を各プロファイル腹板101に接続する。追加プロファイル面103の反対側に、外側プロファイル面105が、取付面102からさらに９０°の折曲縁を介して、取付面102から折り曲げられる。ねじボルト200は、外側プロファイル面105を介して、ボルト200が追加プロファイル面103を介して閉プロファイル部分106から離れ、その自由端が柱間コネクタ１のねじ通路４の１つに直接入るところまで、スイッチキャビネットラック100の閉プロファイル部分106を通される。ねじ通路４は雌ねじを有し、圧力ばめ接続がスイッチキャビネットラック100と柱間コネクタ１との間でなされることができる。柱間コネクタ１の長さ、すなわち、柱間コネクタ１の接触面３の間の距離が、柱間コネクタ１がその反対の接触面３を介して、スイッチキャビネットラック100の追加プロファイル面103に掛かるときに、規定されたシーリング間隙107がシーリング腹板103の自由端の間に形成されるような寸法にされる方法のねじ接続で、プッシュオン式シール108の規定された圧力が達成される。
【００３２】
柱間コネクタ１はまた、格子寸法で間隔をおかれた円形の締結孔９のシステム穿孔を備えた取付平面Ｅを有する。柱間コネクタ１の締結孔９は、直線に沿って配置され、さらにスイッチキャビネットラック100の取付面102の一致する締結孔104までの距離を有し、当該締結孔104は同じ直線に位置し、当該距離は格子寸法の整数倍に対応する。便宜上、柱間コネクタ１の締結孔９の格子寸法は、正確にスイッチキャビネットラック100の締結孔104の格子寸法に対応する値を有し、スイッチキャビネットラック100の格子寸法も柱間コネクタ１の取付面Ｅにわたって維持され、結果として隣接するスイッチキャビネットラック100と交わるように維持される。これは、締結手段がスイッチキャビネットラック100のシステム穿孔に固定されるように設計された設置部品も、隣接するスイッチキャビネットラック100にわたって取り付けられる利点を有する。例えば、スイッチキャビネットライトが、配置構造の隣接するスイッチキャビネットラック100の間に延び、第１スイッチキャビネットラック100の第１反対端、および、第１スイッチキャビネットラック100に隣接する第２スイッチキャビネットラック100の第２反対端に締結され、柱間コネクタ１により固定されることができる。
【００３３】
図２に示すように、柱間コネクタ１は、基本的に、反対側にそれぞれ位置する接触面３を有する本体２を備える。ねじ通路４は、接触面３の間の距離全体にわたって、接触面３に垂直に延び、接触面３の間のねじボルト200（図１を参照）の連続的な誘導案内が確保される。ラッチング突起６は、接触面３から延び、ねじ通路４と一直線になっていて、ねじ通路４がラッチング突起６を通って続く。各接触面３に垂直に延びる反対側では、ラッチング突起６が摺動面７を有し、この摺動面の反対側にフック８を有する。フック８は、柱間コネクタ１の取付状態で端領域の締結孔104（図１を参照）の後ろにはめ込まれるように構成され、このようにして柱間コネクタ１の取り付けを簡単にしている。
【００３４】
ラッチング突起６のある接触面３の反対側に配置される追加接触面３上には、センタリングピン５が形成され、当該センタリングピン５は、追加接触面３に垂直に延び、その外周に、追加プロファイル面103の締結孔104（図１を参照）の内側の輪郭に対応する輪郭を有する。センタリングピン５は、特に、追加プロファイル面103の追加締結孔104に関連したねじ通路４の事前調整（プレアラインメント）のために使用される。
【００３５】
ラック100をお互いに締結する際に、センタリングピン５は、お互いに接続される２つのラック100のうちの第１ラック上に柱間コネクタ１を位置づけるために使用されることができ、外側プロファイル面105を介して挿入され、軸ねじとして形成された２本のねじボルト200が、柱間コネクタ１のねじ通路４にねじ込まれることができ、柱間コネクタ１が２つのラック100のうちの第１ラックに固定される。
【００３６】
その後、柱間コネクタ１の２つのラッチング突起６が締結孔104にそれぞれ押し入れられることで、２つのラック100のうちの第２ラックが第１ラック100にぴったりと合わせられることができる。ラッチング突起６はねじ通路４を長くするので、第２ラック100の外側プロファイル面105を介して挿入される追加のねじボルトの挿入の補助としての機能を有する。この目的のために、ラッチング突起は閉プロファイル部分にある寸法で延び、当該寸法は、外側プロファイル面105と追加プロファイル面103との間の距離にしたがって、第２ラック100を柱間コネクタ１に容易に締結するために十分なねじボルトの誘導案内が確保されるような方法で調整される。
【００３７】
センタリングピン５は、その延び始める接触面３に垂直に長さを有し、その長さは、ラック100が柱間場所でお互いに近い場合、柱間コネクタ１も据え付けられることができる寸法とされるが、そこにあるであろう他の柱間コネクタ１がそれらのボルト200で事前に取り付けられ、しかし、これらのボルトはまだ堅く締められていないので、シーリング要素108はまだ圧縮されておらず、したがって、お互いに向かい合う追加プロファイル面103の間に柱間コネクタを挿入するための十分なスペースがある。これは、ラッチング突起６が１次元だけで締結孔104にぴったり合うように収容されることにより、さらに容易になる。締結孔104に平行な寸法で、ラッチング突起６は締結孔104よりも小さく、ラッチング突起６は、締結孔104の平面に垂直な面内の回転運動により、締結孔104に回し入れられることができる。
【００３８】
そのボルト頭部に隣接して、締結ボルト200のシャフトは、締結ボルト200がラックに挿入される外側プロファイル面105内の締結孔104の反対側の間の距離に対応する直径を有してもよい。この広がったシャフト部は、追加プロファイル面103には延びないが、外側プロファイル面105の長方形の孔において、締結ボルト200の位置決めを容易にするための補助としてのみ機能する。
【００３９】
上記記載、図面および請求の範囲に開示された発明の特徴は、単独で、または組み合わせて、発明の実現に必須のものとすることができる。
【符号の説明】
【００４０】
１  柱間コネクタ
２  本体
３  接触面
４  ねじ通路
５  センタリングピン
６  ラッチング突起
７  摺動面
８  フック
９  締結孔
100  スイッチキャビネットラック
101  プロファイル腹板（ウェブ）／シーリング腹板（ウェブ）
102  取付面
103  追加プロファイル面
104  締結孔
105  外側プロファイル面
106  閉プロファイル部分
107  シーリング間隙
108  プッシュオン式シール
200  ねじボルト
Ｅ  取付平面
【図１】
2021506211.tif 000003
【図２】
2021506211.tif 000004
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
柱間コネクタ（１）により相互接続された２つのスイッチキャビネットラック（100）から構成される配置構造であって、前記スイッチキャビネット（100）はそれぞれ、第１共通平面内に位置して前記スイッチキャビネットラック（100）をお互いに隣接させているプロファイル腹板（101）を有し、前記スイッチキャビネットラック（100）はそれぞれ、第２共通平面内に位置して相互接続された前記スイッチキャビネットラック（100）のそれぞれの内部スペースに面している取付面（102）を有し、前記第１共通平面および前記第２共通平面は、互いに平行に延びていて、互いに離れて間隔を空けられており、前記柱間コネクタ（１）が完全に前記第１共通平面と前記第２共通平面との間に配置され、前記柱間コネクタ（１）が、追加プロファイル面（103）にそれぞれ掛かり、それぞれ反対側に位置する接触面（３）を備える本体（２）を有し、前記本体（２）が、前記第１共通平面および前記第２共通平面との間に、かつ前記第１共通平面および前記第２共通平面に垂直に延び、少なくとも１つのラッチング突起（６）が、少なくとも１つの前記接触面（３）から、前記追加プロファイル面（103）のうちの１つ内にある締結孔（104）を通って延び、前記柱間コネクタ（１）を前記追加プロファイル面（103）に留め金を掛けて固定することを特徴とする配置構造。
【請求項２】
少なくとも１つのねじ通路（４）が、前記接触面（３）の間に、かつ前記接触面（３）を通って、前記柱間コネクタ（１）の全長に亘って延びる、請求項１に記載の配置構造。
【請求項３】
センタリングピン（５）が、少なくとも１つの前記接触面（３）から、前記接触面（３）に垂直に延びる、請求項１または２に記載の配置構造。
【請求項４】
前記ラッチング突起（６）は、前記接触面（３）の１つから、前記接触面（３）に垂直に延び、前記ラッチング突起（６）のフック（８）の反対側に配置される摺動面（７）を有し、前記摺動面（７）は、前記ラッチング突起（６）が通って延びる前記締結孔（104）の端に対してぴったり合うように位置する、請求項１に記載の配置構造。
【請求項５】
少なくとも１つのねじ通路（４）が、前記接触面（３）の間で、かつ前記接触面（３）を通って、前記柱間コネクタ（１）の長さ全体に亘って延び、前記少なくとも１つのねじ通路（４）は、少なくとも１つの前記ラッチング突起（６）と一直線になっていて、前記ラッチング突起（６）を通って続いている、請求項１に記載の配置構造。
【請求項６】
ねじボルト（200）が、前記追加プロファイル面（103）と平行に間隔を空けて配置される外側プロファイル面（105）から、前記スイッチキャビネットラック（100）の閉プロファイル部分（106）を通って通過させられる、請求項１〜５のいずれか１項に記載の配置構造。
【請求項７】
前記ねじボルト（200）が、前記外側プロファイル面（105）を介して前記閉プロファイル部分（106）に入り、前記追加プロファイル面（103）を介して前記閉プロファイル部分（106）から出て、前記柱間コネクタ１の反対側にそれぞれ位置する２つの前記接触面（３）のうちの１つを介して前記柱間コネクタ１に入る、請求項６に記載の配置構造。
【請求項８】
前記ねじボルト（200）が、少なくともねじボルト頭部からみて離れる方にある端部に雄ねじを有し、雌ねじを有する少なくとも１つのねじ通路（４）内に雄ねじによりねじ込まれる、請求項７に記載の配置構造。
【請求項９】
前記ねじボルト（200）は、ねじボルト頭部で前記外側プロファイル面（105）に重みが掛かる、請求項６〜８のいずれか１項に記載の配置構造。
【請求項１０】
前記柱間コネクタ（１）が、前記取付面（102）の前記第２共通平面内に位置して等距離で間隔を置かれた締結孔（９）の孔の列を備える取付平面（Ｅ）を有する、請求項１〜９のいずれか１項に記載の配置構造。
【請求項１１】
前記締結孔（９）が、お互いに対して、前記スイッチキャビネットラック（100）のシステム穿孔の格子寸法に対応する距離を有する、請求項１０に記載の配置構造。
【請求項１２】
前記柱間コネクタ（１）の前記締結孔（９）が、直線状の孔の列に沿って配置されて、前記システム穿孔の前記締結孔（104）と一致して形成され、前記柱間コネクタ（１）の前記締結孔（９）、および、前記システム穿孔の少なくとも１つの一致した前記締結孔（104）が、直線に沿って配置され、前記柱間コネクタ（１）の前記締結孔（９）のそれぞれと、前記システム穿孔の少なくとも１つの前記締結孔（104）との間の距離が、格子寸法の整数倍である、請求項１１に記載の配置構造。
【請求項１３】
前記プロファイル腹板（101）が、シーリング間隙（107）の形成の下で互いに隣接し、前記プロファイル腹板（101）の自由端に向かって広くなる同一のシーリング腹板として形成され、プッシュオン式シール（108）が前記シーリング腹板の１つに押し付けられ、前記プッシュオン式シールが前記シーリング間隙を流体密封に密封する、請求項１〜１２のいずれか１項に記載の配置構造。
【請求項１４】
前記柱間コネクタ（１）の前記接触面（３）が、前記プロファイル腹板（101）の長さの合計よりもわずかに大きい間隔を有し、前記プッシュオン式シール（108）は、前記追加プロファイル面（103）が前記柱間コネクタ（１）の反対側にそれぞれ位置する前記接触面（３）に隣接する場合に、規定された圧縮を有する、請求項１３に記載の配置構造。
【国際調査報告】
2021506211.tif 000005
2021506211.tif 000006
2021506211.tif 000007
2021506211.tif 000008